【手続補正書】
【提出日】平成14年10月10日(2002.10.10)
【手続補正１】
【補正対象書類名】明細書
【補正対象項目名】特許請求の範囲
【補正方法】変更
【補正の内容】
【特許請求の範囲】
【請求項１】
スロットを有する第一のバンドを備え、該第一のバンドは該第一のバンドの端部に連結された第一のイヤーウォーマ・フレーム部材を有しており、
さらに、
前記第一のバンドに摺動可能に連結可能な第二のバンドを備え、該第二のバンドは該第二のバンドの端部に連結された第二のイヤーウォーマ・フレーム部材を有しており、
該第二のバンドは、該第二のバンドおよび前記第一のバンドを連結すべく前記スロットに選択的に係合する接続部材であって、前記スロット内に挿入され得ると共に前記第一のバンドおよび当該第二のバンドを連結し得る接続部材を含む、
イヤーウォーマ・フレーム。
【請求項２】
前記スロットは開放端部を含む、請求項１記載のイヤーウォーマ・フレーム。
【請求項３】
前記スロットは開放端部を含み、
前記第一のバンドは保持部材を含み、
該保持部材は、前記第一および第二のバンドが相互に連結されたときに前記接続部材と係合可能である、請求項１記載のイヤーウォーマ・フレーム。
【請求項４】
前記第一のバンドは第一の端部および第二の端部を含み、
前記第一のバンドは前記第一の端部に近接する通路を含む、請求項１記載のイヤーウォーマ・フレーム。
【請求項５】
前記第一のバンドは第一の端部および第二の端部を含み、
前記第一のバンドは前記第一の端部に近接する通路を含み、且つ、
前記スロットは前記第一の端部に近接する開放端部を含む、請求項１記載のイヤーウォーマ・フレーム。
【請求項６】
前記第一のバンドは連結器を含み、
前記第二のバンドはスロットを含み、
前記連結器は前記第二のバンドのスロットに連結可能である、請求項１記載のイヤーウォーマ・フレーム。
【請求項７】
前記第一のバンドは連結器を含み、
前記第二のバンドはスロットを含み、
前記連結器は前記第二のバンドのスロットに連結可能であり、
前記第二のバンドのスロットは両端部にて閉じられる、請求項１記載のイヤーウォーマ・フレーム。
【請求項８】
前記接続部材は前記第二のバンドに対し、挿入位置と保持位置との間で回転可能であり、
前記接続部材は、前記挿入位置においては前記スロット内に挿入され得ると共に、前記保持位置においては前記第一および第二のバンドに連結され得る、請求項１記載のイヤーウォーマ・フレーム。
【請求項９】
長手方向を有する第一のバンドであって自身上に配設された接続部材を含む第一のバンドと、長手方向を有する第二のバンドであってスロットを画成する第二のバンドとを含むイヤーウォーマ・フレームを組立てる方法であって、
前記第一のバンドの前記接続部材を前記第二のバンドの前記スロット内に挿入する段階と、
前記接続部材および第一のバンドを前記第二のバンドに対して配設することで、前記第一および第二のバンドをそれらの長手方向に沿い実質的に整列された形態へと位置決めする段階と、
を備えて成る組立て方法。
【請求項１０】
前記第二のバンドは一端にて通路を含む請求項９記載の方法において、
前記第二のバンドの前記通路を介して前記第一のバンドを挿入する段階を更に備えて成る方法。
【請求項１１】
前記接続部材の前記挿入段階は前記第一のバンドの前記挿入段階よりも以前に生ずる、請求項１０記載の方法。
【請求項１２】
前記第一のバンドはスロットを画成し、前記第二のバンドは連結器を含む請求項９記載の方法において、
前記連結器を前記第一のバンドのスロット内に挿入する段階を更に備えて成る方法。
【請求項１３】
前記接続部材の前記挿入段階は該接続部材の前記配設段階よりも以前に生じ、且つ、
前記接続部材および前記第一のバンドの前記配設段階は、該第一のバンドを前記第二のバンドと整列すべく転回する段階を含む、
請求項９記載の方法。
【請求項１４】
前記接続部材および前記第一のバンドを配設する前記段階は、前記第一のバンドに対して前記接続部材を回転する段階を含む、請求項９記載の方法。
【請求項１５】
周縁部を画成する外側メンブレンと、
前記外側メンブレンに結合された内側メンブレンであって、前記外側メンブレンおよび当該内側メンブレンは前記シェルの内側部分を画成し、当該内側メンブレンは前記周縁部の相当の部分に沿い結合され、前記外側メンブレンおよび当該内側メンブレンは両者間において前記周縁部に沿い開口を画成し、該開口は前記内側部分と連通し、当該内側メンブレンは第一の耳部分、第二の耳部分および中央部分を含む、内側メンブレンと、
を含むシェルと、
前記開口を介して前記シェル内へと挿入され得るフレームと、
を備えたイヤーウォーマ。
【請求項１６】
前記開口は前記中央部分の一部に沿う、請求項１５記載のイヤーウォーマ。
【請求項１７】
前記開口は前記第一の耳部分の一部に沿う、請求項１５記載のイヤーウォーマ。
【請求項１８】
前記外側メンブレンおよび前記内側メンブレンの少なくとも一方は連結機構を含み、且つ、
前記連結機構は前記開口を閉成し得る、請求項１５記載のイヤーウォーマ。
【請求項１９】
前記内側メンブレンおよび前記外側メンブレンはそれらの間において前記周縁部に沿い、前記内側部分と連通する複数の開口を画成する、請求項１５記載のイヤーウォーマ。
【請求項２０】
周縁部を画成する外側メンブレンを含み、該外側メンブレンは第一の耳部分と第二の耳部分とを有しており、
さらに、
前記周縁部の第一の部分に沿って前記外側メンブレンに結合された第一の内側メンブレンを含み、該第一の内側メンブレンは前記第一の耳部分に隣接するよう位置決めされており、前記第一の内側メンブレンは第一の端部および第二の端部を有しており、
さらに、
前記周縁部の第二の部分に沿って前記外側メンブレンに結合された第二の内側メンブレンを含み、該第二の内側メンブレンは前記第二の耳部分に隣接するよう位置決めされており、前記第二の内側メンブレンは第一の端部および第二の端部を有し、前記外側メンブレン、前記第一の内側メンブレンおよび当該第二の内側メンブレンはそれらの間に内部領域を画成し、前記第一の内側メンブレンの前記第二の端部は当該第二の内側メンブレンの前記第二の端部に近接しており、前記各第二の端部はそれらの間において前記内部領域への開口を画成する、第二の内側メンブレンと、
を含むシェルと、
前記開口を介して前記シェル内へと挿入され得るフレームと、
を備えたイヤーウォーマ。
【請求項２１】
前記第一の内側メンブレンの前記第二の端部は前記第二の内側メンブレンの前記第二の端部と接触する、請求項２０記載のイヤーウォーマ。
【請求項２２】
周縁部を画成する内側メンブレンおよび外側メンブレンを含むイヤーウォーマ・シェルであって、前記外側メンブレンおよび内側メンブレンは当該シェルの内側部分を画成し、前記内側メンブレンは第一の耳部分、第二の耳部分および中央部分を含む、イヤーウォーマ・シェルを組立てる方法であって、
前記周縁部の相当の部分に沿い前記内側メンブレンを前記外側メンブレンに連結する段階であって、前記外側メンブレンおよび前記内側メンブレンはそれらの間において前記周縁部に沿い開口を画成し、該開口は前記内側部分と連通し且つ前記周縁部に沿い配置される、段階と、
前記開口内に且つ前記シェル内にフレームを挿入する段階と、
を備えて成る、組立て方法。
【請求項２３】
前記内側メンブレンは第一の連結機構を含むと共に前記外側メンブレンは第二の連結機構を含み、且つ、
前記第一および第二の連結機構は連結されて前記開口を閉成し得る、請求項２２記載の方法。
【請求項２４】
第一の耳部分と、第二の耳部分と、中央部分と、外側部分とを有する一体片メンブレンであって、上記第一の耳部分、上記第二の耳部分、上記中央部分および上記外側部分はそれらの間において当該メンブレンの内部を集合的に画成可能であり、上記外側部分は上記第一の耳部分に対応する第一の部分と上記第二の耳部分に対応する第二の部分とを有する、一体片メンブレンと、
上記メンブレンの上記内部に配設されたフレームと、
を備えたイヤーウォーマ。
【請求項２５】
前記第一の耳部分、前記第二の耳部分および前記中央部分は前記外側部分と一体的に形成される、請求項２４記載のイヤーウォーマ。
【請求項２６】
前記第一の耳部分は前記外側部分の端部に近接して該外側部分の辺部と一体的に形成される、請求項２４記載のイヤーウォーマ。
【請求項２７】
前記第一の耳部分、前記第二の耳部分および前記中央部分は複数の非連続箇所にて前記外側部分と一体的に形成される、請求項２４記載のイヤーウォーマ。
【請求項２８】
前記第一の耳部分、前記第二の耳部分および前記中央部分は前記外側部分の周縁部の全体に沿って結合される、請求項２４記載のイヤーウォーマ。
【請求項２９】
前記第一の耳部分および前記中央部分は前記外側部分の両辺部と夫々一体的に形成される、請求項２４記載のイヤーウォーマ。
【請求項３０】
前記第一の耳部分は前記外側部分の前記第一の対応部分と同一の形態を有する、請求項２４記載のイヤーウォーマ。
【請求項３１】
前記第一の耳部分、前記第二の耳部分、前記中央部分および前記外側部分は、集合的に外側周縁部を画成すると共に該外側周縁部に沿い結合されることで該外側周縁部に沿う辺部を有する結合部を画成し、
上記外側周縁部に沿う該結合部の上記辺部は全体的に前記メンブレンの前記内部に配設される、請求項２４記載のイヤーウォーマ。
【請求項３２】
前記第一の耳部分は前記外側部分に連結され、
前記第二の耳部分は上記外側部分に連結され、
上記第一の耳部分は上記第二の耳部分から離間される、請求項２４記載のイヤーウォーマ。
【請求項３３】
前記第一の耳部分、前記第二の耳部分および前記中央部分は相互に別体である、請求項２４記載のイヤーウォーマ。
【請求項３４】
前記第一の耳部分は、周縁部を有すると共に、該第一の耳部分の該周縁部の一部に沿い前記外側部分に結合され、且つ、
前記第二の耳部分は、周縁部を有すると共に、該第二の耳部分の該周縁部の一部に沿い上記外側部分に結合される、請求項２４記載のイヤーウォーマ。
【請求項３５】
前記第一の耳部分は前記第一の対応部分に近接して前記外側部分に結合される、請求項２４記載のイヤーウォーマ。
【請求項３６】
前記中央部分は周縁部を有すると共に、該中央部分は該中央部分の該周縁部の一部に沿い前記外側部分に結合される、請求項２４記載のイヤーウォーマ。
【請求項３７】
第一の耳部分と、第二の耳部分と、中央部分と、外側部分とを有するメンブレンを用いてイヤーウォーマを形成する方法であって、
上記第一の耳部分、上記第二の耳部分、上記中央部分および上記外側部分の間に内部を形成すべく上記メンブレンを配設する段階と、
上記メンブレンの上記内部にフレームを配設する段階と、
を備えて成る方法。
【請求項３８】
前記メンブレンを配設する前記段階は、
前記第一の耳部分を前記外側部分の第一の対応部分上へと折畳む段階と、
前記第二の耳部分を上記外側部分の第二の対応部分上へと折畳む段階と、
前記中央部分を上記外側部分上へと折畳む段階と、
を含む、請求項３７記載の方法。
【請求項３９】
前記メンブレンを配設する前記段階は、
前記第一の耳部分を前記外側部分の第一の対応部分上へと折畳む段階と、
前記第二の耳部分を上記外側部分の第二の対応部分上へと折畳む段階と、
前記中央部分を上記外側部分上へと折畳む段階と、
上記中央部分を上記外側部分の残存周縁部の一部へと結合する段階と、
を含む、請求項３７記載の方法。
【請求項４０】
前記メンブレンを配設する前記段階は、
前記第一の耳部分を前記外側部分の第一の対応部分上へと折畳む段階と、
前記第二の耳部分を上記外側部分の第二の対応部分上へと折畳む段階と、
前記中央部分を上記外側部分上へと折畳む段階と、
上記中央部分を上記外側部分の残存周縁部の一部へと結合する段階と、
上記第一の耳部分を上記第一の対応部分の残存周縁部の一部へと結合する段階と、
上記第二の耳部分を上記第二の対応部分の残存周縁部の一部へと結合する段階と、
を含む、請求項３７記載の方法。
【請求項４１】
前記内部にフレームを配設する前記段階は、
前記第一の耳部分と前記外側部分の前記第一の対応部分との間にフレーム部材を配設する段階と、
前記第二の耳部分と上記外側部分の前記第二の対応部分との間にフレーム部材を配設する段階と、
を含む、請求項３８記載の方法。
【請求項４２】
外側メンブレンと、
上記外側メンブレンに結合されたイヤー・メンブレンであって、該イヤー・メンブレンと上記外側メンブレンは集合的に外側周縁部を画成し、該イヤー・メンブレンおよび上記外側メンブレンはそれらの間に当該イヤーウォーマ・シェルの内部を画成するイヤー・メンブレンと、
当該イヤーウォーマ・シェルの上記内部に配設されると共に、外側周縁部の一部に沿い結合されたポケット・メンブレンと、
を含むイヤーウォーマ・シェルと、
上記イヤーウォーマ・シェルの上記内部に配設されたフレームと、
を備えたイヤーウォーマ。
【請求項４３】
前記ポケット・メンブレンおよび前記外側メンブレンはそれらの間にポケットを画成する、請求項４２記載のイヤーウォーマ。
【請求項４４】
前記ポケット・メンブレンおよび前記外側メンブレンはそれらの間にポケットを画成し、前記フレームは該ポケット内に挿入される、請求項４２記載のイヤーウォーマ。
【請求項４５】
前記ポケット・メンブレンは前記外側周縁部の一部に沿い前記イヤー・メンブレンおよび前記外側メンブレンの間に結合される、請求項４２記載のイヤーウォーマ。